(57)【特許請求の範囲】
【請求項１】
交差機械方向（ＣＭＤ）織り糸の第１および第２層を有し、各第１層ＣＭＤ織り糸と第２層ＣＭＤ織り糸とは垂直に積層された対をなし、ＣＭＤ織り糸層と織り合わされた機械方向（ＭＤ）織り糸の方式を有し、選択されたＭＤ織り糸がパターンを織る型の二重層製紙用織物であって、
少なくとも３つのＣＭＤ織り糸の第１ＣＭＤ層とのみ織り、かつ少なくとも１つの織り交ぜを有する部分と、
第１ＣＭＤ層から第２ＣＭＤ層へ移行する部分と、
少なくとも３つのＣＭＤ織り糸の第２ＣＭＤ層とのみ織り、かつ少なくとも１つの織り交ぜを有する部分と、
第２ＣＭＤ層から第１ＣＭＤ層へ移行する部分とを備え、
各移行部分が１対のＣＭＤ織り糸の間を通過するか、どんな対にされたＣＭＤ織り糸の間も通過せず、
各選択されたＭＤ織り糸の全ての部分が機械方向に延びている略同じ垂直面内に横たわっていることを特徴とする二重層製紙用織物。
【請求項２】
第１層ＭＤ織り部分が平織りに織る請求項１の織物。
【請求項３】
第２層ＭＤ織り部分が平織りに織る請求項１の織物。
【請求項４】
第１および第２層織り部分が同じ織りパターンを有する請求項１の織物。
【請求項５】
織物が８つのＣＭＤ織り糸対で繰り返す請求項１の織物。
【請求項６】
各ＭＤ織り糸が上に位置する各第１層ＣＭＤ織り糸と下に位置する各第２層ＣＭＤ織り糸の第１対の上、第２対の間、第３対の上、第４対の間、第５対の下、第６対の間、第７対の下、および第８対の間を与えられた繰返しで織る請求項１の織物。
【請求項７】
ＣＭＤ層の間にスタッファ織り糸をさらに備える請求項１の織物。
【請求項８】
織物に付着されたバット物質をさらに備える請求項１の織物。
【請求項９】
織物が６つのＣＭＤ織り糸対で繰り返す請求項１の二重層製紙用織物。
【請求項１０】
各ＭＤ織り糸が上に位置する各第１層ＣＭＤ織り糸と下に位置する各第２層ＣＭＤ織り糸の第１対の上、第２対の間、第３対の上、第４対の下、第５対の間、および第６対の下を与えられた繰返しで織る請求項１の織物。
【請求項１１】
織物が８つのＭＤ織り糸で繰り返す請求項１の二重層製紙用織物。
【請求項１２】
織物が６つのＭＤ織り糸で繰り返す請求項１の二重層製紙用織物。
【請求項１３】
織物が開いて終端され、各織物の端が平たいループおよび結び戻しを有する請求項１の織物。
【発明の詳細な説明】
【０００１】
発明の背景
発明の分野
本発明は全般的に製紙、セルローズまたは板紙製造機械に使用するために設計された織られた織物に係り、なお特に二重層製紙用織物に関する。
【０００２】
従来技術の記述
単一および二重層構造の織られた織物は製紙、セルローズ、板紙または他の同様な機械の種々な部分に使用される。しばしば二重層織物は機械方向（ＭＤ）織り糸の方式により内部結合される交差機械方向（ＣＭＤ）織り糸の２つの層を有する。乾燥機部分に有用である二重層織物の１つの型は図１に示される。この織物は、各ＭＤ織り糸が、手順が繰り返される前に、ＣＤＭ織り糸の第1対の間、第2対の上、第3対の間および第4対の下を連続して縛る織り方に特徴がある。このＭＤ織りパターンは全体的にＣＤＭ層間を通過する対角線部分を有する織り糸を生成し、しばしば“Ｎ”織りとして参照される。
【０００３】
標準化された二重層織物の構造は、ＭＤ織り糸がＣＭＤ織り糸のより少ない交錯を有する構造に織られ、かつＭＤとＣＭＤとの間で少し縮れ交替を提供するので、ＭＤにおいて低強度である織物をもたらす。ヨーロッパ特許出願No．0 264 881 A1、0 342 684 A2、および0 654 559 A2に記述された織物の審査で、各織物は両織物層に織っている織り糸部分を有するが、３つの織り糸の各々が弱い強度構造をもたらす層間の長い移行を有する。結果として、使用中歪みに耐える二重層織物の能力は減少される。織物強度を高める普通の方法は処理剤即ち樹脂を織っている支柱の付加とすることである。しかし、これらの工程は全般的にくどくどしく、時間浪費および高価である。
【０００４】
従って、強靭さを達成するために終りの工程を必要とすることなく、より高い強度を提供する二重層製紙用織物の必要がある。
【０００５】
発明の概要
本発明は、ＣＭＤ織り糸の２つの層と織り合わされた機械方向ＭＤ織り糸の方式を有する二重層製紙用織物を提供する。ＭＤ織り糸織りパターンはＣＭＤ第１層と排他的に織る部分とＣＭＤ第２層と排他的に織る部分とを含む。各排他的ＭＤ織り部分は少なくとも３つのＣＭＤ織り糸と織り、かつその層内でＣＭＤ織り糸の少なくとも１つと交錯する。ＭＤ織り糸織り繰返しはまた排他的織り部分間に延在する部分と２つのＣＭＤ層間を移行する部分とを含む。
【０００６】
好ましい実施例の記述
図２乃至４の実施例において、ＭＤ織り糸３は２つのＣＭＤ層１および２と織り合わされる。上側ＣＭＤ層１の各織り糸は下側ＣＭＤ層２の織り糸と対をなす。与えられた繰返しにおいて、各ＭＤ織り糸３はＣＭＤ層１に平織りに織られ、“Ｎ”織りに使用されたものに似た対角線の経路を使用している層間を移行し、ＣＭＤ層２に平織りに織られ、そして層間を移行する。好ましい織り方は８ＭＤ織り糸で繰り返す。ＭＤ織り糸３ａ−３ｈの各々の繰返しは図４に示される。
【０００７】
ＭＤ織り糸３ａは、パターンが繰り返される前に、ＣＭＤ織り糸の第１対の上、第２対の間、第３対の上、第４対の間、第５対の下、第６対の間、第７対の下および第８対の間を織られる。
【０００８】
ＭＤ織り糸３ｂは、パターンが繰り返される前に、ＣＭＤ織り糸の第１対の下、第２対の間、第３対の下、第４対の間、第５対の上、第６対の間、第７対の上および第８対の間を織られる。
【０００９】
ＭＤ織り糸３ｃは、パターンが繰り返される前に、ＣＭＤ織り糸の第１対の間、第２対の上、第３対の間、第４対の下、第５対の間、第６対の下、第７対の間および第８対の上を織られる。ＭＤ織り糸３ｄは、パターンが繰り返される前に、ＣＭＤ織り糸の第１対の間、第２対の下、第３対の間、第４対の上、第５対の間、第６対の上、第７対の間および第８対の下を織られる。ＭＤ織り糸３ｅは、パターンが繰り返される前に、ＣＭＤ織り糸の第１対の上、第２対の間、第３対の下、第４対の間、第５対の下、第６対の間、第７対の上および第８対の間を織られる。
【００１０】
ＭＤ織り糸３ｆは、パターンが繰り返される前に、ＣＭＤ織り糸の第１対の下、第２対の間、第３対の上、第４対の間、第５対の上、第６対の間、第７対の下および第８対の間を織られる。
【００１１】
ＭＤ織り糸３ｇは、パターンが繰り返される前に、ＣＭＤ織り糸の第１対の間、第２対の下、第３対の間、第４対の下、第５対の間、第６対の上、第７対の間および第８対の上を織られる。
【００１２】
ＭＤ織り糸３ｈは、パターンが繰り返される前に、ＣＭＤ織り糸の第１対の間、第２対の上、第３対の間、第４対の上、第５対の間、第６対の下、第７対の間および第８対の下を織られる。
【００１３】
ここに記述されたように、織物における隣接ＭＤ織り糸の対角線通路は互いに十文字になる。例えば、隣接ＭＤ織り糸３ａおよび３ｂはＣＭＤ織り糸の第４対の間を共に移行する。しかし、隣接ＭＤ織り糸３の対角線通路は十文字を持たねばならないのではなく、変わりに互いから間隔を置かれてもよい。
【００１４】
ＣＭＤ層１および２のＭＤ平織りは、ＭＤ織り糸がＣＭＤ織り糸と交錯し、それ故縮らしかつ保持するので、織物に機械方向の強靭性を提供する。平織りを使用することが好ましいけれども、与えられた層におけるＭＤ織りパターンは、繰返しのその部分において少なくとも２つのＣＭＤ織り糸を縮らすどんな織りパターンでも出来る。
【００１５】
図３から見られ得るように、ＭＤ織り糸３は機械方向に延びている略垂直な面に残る。それぞれのＣＭＤ織り糸対１および２は機械方向に直交して延びている略垂直な面に残る。
【００１６】
代わりのＭＤ織りパターンの例が図５に示される。そこに見ることが出来るように、ＭＤ織り糸３は繰返しの第１層部分においてＣＭＤ織り糸１ａおよび１ｄを縮らせ、繰返しの第２層部分においてＣＭＤ織り糸２ｆおよび２ｉを縮らせる。各層のＭＤ織りパターンは他の層と独立であり得る。加えて、移行の織りパターンはまた変えられ、例えばそれは図６に示される。織りパターンはまた織物が繰り返す織り糸の数を変えることにより変えられ得る。例えば、図６に示された織りパターンは６つのＣＭＤ織り糸と６つのＭＤ織り糸で繰り返される。
【００１７】
織物において、スタッファ（stuffer)織り糸４を挿入することにより織物の透過性が調節されてもよい。図７に示されるように、スタッファ織り糸４が好ましくはＣＭＤ織り糸１および２の各対間に挿入される。もし望まれるなら、図２に見るように、バット（batt）物質１０が織物の一側または両側に適用されてもよい。
【００１８】
もし織物が平面織りであるなら、それは好ましくは統一ループ１００および結び戻し１０２で縫い合わされる。好ましい織物が８つのＭＤ織り糸で繰り返されるので、標準化された“Ｎ”織り織物の縫い合わせパターンは全般的に８つのＭＤ織り糸において同じ長さの縫い合わせループまたは結び戻しを提供しない。それ故、各縫い合わせ形成端で同じ縫い合わせループ１００および結び戻し１０２を提供する個々の縫い合わせループ１００および結び戻し１０２の縫い合わせパターンを利用することが好ましい。同じ縫い合わせループ１００および結び戻し１０２を提供する例示的縫い合わせパターンが図８乃至１１に示される。
【図面の簡単な説明】
【図１】  従来技術二重層織物の透視図。
【図２】  本発明による織物の透視図。
【図３】  図２の織物の上面図。
【図４】  図２の織物に関して与えられた各ＭＤ織り糸の側面図。
【図５】  本発明の第２実施例のＭＤ織りパターン。
【図６】  本発明の織物の第３実施例のＭＤ織りパターン。
【図７】  本発明の織物の第４実施例のＭＤ織りパターン。
【図８】  織物の第１端を縫い合わせる好ましいパターン。
【図９Ａ】  織物の第１端を縫い合わせる好ましいパターン。
【図９Ｂ】  織物の第１端を縫い合わせる好ましいパターン。
【図９Ｃ】  織物の第１端を縫い合わせる好ましいパターン。
【図９Ｄ】  織物の第１端を縫い合わせる好ましいパターン。
【図１０】  織物の第２端を縫い合わせる好ましいパターン。
【図１１Ａ】  織物の第２端を縫い合わせる好ましいパターン。
【図１１Ｂ】  織物の第２端を縫い合わせる好ましいパターン。
【図１１Ｃ】  織物の第２端を縫い合わせる好ましいパターン。
【図１１Ｄ】  織物の第２端を縫い合わせる好ましいパターン。
【符号の説明】
１、２…ＣＭＤ層、３…ＭＤ織り糸、４…風通しの悪い織り糸、１０…打ち延べ綿、１００…ループ、１０２…結び戻し
【図１】
0004326691.tif 000002
【図２】
0004326691.tif 000003
【図３】
0004326691.tif 000004
【図４】
0004326691.tif 000005
【図５】
0004326691.tif 000006
【図６】
0004326691.tif 000007
【図７】
0004326691.tif 000008
【図８】
0004326691.tif 000009
【図９Ａ】
0004326691.tif 000010
【図９Ｂ】
0004326691.tif 000011
【図９Ｃ】
0004326691.tif 000012
【図９Ｄ】
0004326691.tif 000013
【図１０】
0004326691.tif 000014
【図１１Ａ】
0004326691.tif 000015
【図１１Ｂ】
0004326691.tif 000016
【図１１Ｃ】
0004326691.tif 000017
【図１１Ｄ】
0004326691.tif 000018